(57)【要約】【課題】スロットマシンの表示装置に表示される図柄の配列において、優遇遊技権利等が付与される図柄の配列に、同一図柄以外の図柄を設定すると共に、前記、表示装置と別に補助表示装置を具備し、双方の図柄の配列関係にも優遇遊戯権利等を付与する図柄の配列を設定することにより、遊技への興味が、増幅かつ継続されるようにする。【解決手段】スロットマシンの優遇遊技権利等が付与される図柄に数字や数の図柄を設定することにより、同一図柄以外の連続する図柄の配列にも権利が付与されると共に、図柄の配列にも多様化が図られ、遊技への興味が増幅且つ継続される。また表示装置と別に補助表示装置を設け、さらに補助表示装置にも表示装置と同様の図柄を設定し、双方の図柄が一致すると優遇遊技権利等の付与がなされることにより遊技への興味が、増幅かつ継続される。【選択図】図２
2008113926.tif 000002
【特許請求の範囲】
【請求項１】
始動装置２と前記始動装置２の始動による優遇遊技抽選手段２ａと該優遇遊技抽選手段２ａによる、図柄の表示装置３と該表示装置３を制御する表示手段３ａと該表示装置３に、図柄を停止、表示させる停止装置４ｂ・4ｃ・4ｄによる停止手段４ａと前記表示装置３に、所定の配列により、同一図柄を表示・停止後、ビッグボーナス(以下ＢＢという)やレギュラーボーナス（以下ＲＢという）となる優遇遊技権利５と優遇遊技設定手段５ａを告知する遊技機であって前記表示装置３に所定の配列による同一図柄以外の数字もしくは数の図柄の配列により優遇遊技権利５が付与されることを特徴とするスロットマシン。
【請求項２】
請求項1に記載のスロットマシンおいて、前記優遇遊技抽選手段２ａによる優遇遊技権利５の付与に際し、該権利の所定の配列による数もしくは数字の図柄の組み合わせで、ＢＢやＲＢの予告図柄となる優遇遊技予告権利６を有することを特徴とするスロットマシン。
【請求項３】
請求項1ないし２に記載のスロットマシンにおいて、前記図柄表示装置３に所定の配列による連続する数の図柄が並んだ時に、ＢＢやＲＢの優遇遊技権利５が付与されることを特徴とするスロットマシン。
【請求項４】
請求項1ないし請求項２に記載のスロットマシンにおいて、複数の図柄を複数列表示する補助表示装置７と該補助表示装置７を制御する補助表示手段７ａを有することを特徴とするスロットマシン。
【請求項５】
請求項４に記載のスロットマシンにおいて、前記補助表示装置７と前記表示装置３とに表示された数字もしくは数の図柄が、同一、且つ、所定の配置と配列に、停止・表示された時に、前記優遇遊技設定手段５ａよりＢＢやＲＢの優遇遊技権利５もしくは、優遇遊技権利予告６が付与される表示照合手段１２ａを有することを特徴とするスロットマシン。
【発明の詳細な説明】
【技術分野】
【０００１】
本発明は、スロットマシンの図柄の表示と配列による優遇遊技権利等の付与に関わるものである。
【背景技術】
【０００２】
パチンコ店やパチスロ店にある一般的なスロットマシンの図柄表示装置は、３列の回転リールから構成され、各々のリールの外周表面に、図柄が印刷されたシールが貼付され、これが容易に視認できるように、筐体の中央辺りに透明の表示領域に設けられている。遊技の工程は、メダルを投入口より投入し、始動装置を操作し、３列より構成された表示装置のリールが回転し、各リールに対応した停止装置の操作により、リールが停止し、一回の遊技が完了する。この際、各々のリールに停止した図柄と３列で構成された所定の図柄の配列により、ＢＢ・ＲＢ・小役・再プレイ等の権利が付与されるか否かが遊技者に告知される。
【０００３】
ＢＢ・ＲＢ・小役・再プレイ等の権利は、概ね、同一図柄が一直線上に３個並んだ時に付与され、その有効な配列は、横に３列、左右のたすき掛けに各一列の都合５通りの組み合わせとなる。
スロットマシンの遊技において、ＢＢが最も大量にメダルが獲得でき、そのメダルの獲得量は、機種により異なるが、およそ３００から４００枚程度である。ＲＢのメダルの獲得量は、およそ１２０枚前後で、再プレイとは、当該遊技の投入枚数により繰り返し遊技ができる権利で、メダルの加減はない。小役は、同一図柄もしくは、特定の図柄に付与される権利で獲得メダル量は、その図柄の配列により数枚から十数枚である。これ以外は、はずれということで、投入メダルは没収される。
【０００４】
優遇遊技権利の付与か否かの決定は、始動装置の操作時に、メイン基板の記憶装置の抽選手段により、予め設定されている。従って、権利が付与されていない遊技においては、いかなるタイミングで、停止装置を操作しても権利を付与されることはない。逆に、前記抽選手段により、優遇遊技権利が付与されている場合は、リールの径とモータの回転数等の物理的特性を考慮した制御の範囲内で、停止装置を操作すれば、当該図柄が、必ず所定の位置で停止されるように設定されている。
【発明の開示】
【発明が解決しようとする課題】
【０００５】
スロットマシンの表示装置３の左・中・右の三列のリール３ｂ・３ｃ・３ｄに数字や数の図柄を配置することにより、同一図柄以外の図柄でも優遇遊技権利５もしくは優遇遊技予告権利６が得られ、さらに左・右・中のリール３ｂ・３ｃ・３ｄに対応した停止手段４による停止装置４ｂ・４ｃ・４ｄの操作による前記リール３ｂ・３ｃ・３ｄの停止、もしくは所定の時間経過による停止毎に、数字や数の図柄の配置により遊技への興味が増幅されると共に、ＢＢ等の予告図柄の配列も豊富になり、遊技への興味が、損なわれること無く継続される。
【課題を解決するための手段】
【０００６】
従来のスロットマシンは、左・中・右の三列のリールにより構成された表示装置に、同一図柄が直線上並んだ時に、ＢＢ等の優遇遊技権利の付与とされている。
【０００７】
前記目的達成の為、本発明の請求項1は、図柄に数もしくは数の図柄を用いることにより、数の特性が活かされ、同一図柄のみならず、連続する数の配置等にも、権利を付与し優遇遊技権利５もしくは、優遇遊技予告権利６の図柄などに設定することができ、通常遊戯中においても左・中・右のリール３ｂ・.３ｃ・３ｄを停止手段４による停止装置4ｂ・4ｃ・4ｄの操作による停止毎に、表示される数の配置や配列に注視することになり、遊技を一層興味深いものにする。
【０００８】
さらに、表示装置３以外に、補助表示装置７を具備することにより、双方の装置に同じ図柄が表示された時に優遇遊技権利５もしくは優遇遊技予告権利６が付与される表示照合手段12ａを設けることにより、一層、機知に富んだ遊技となる。
【発明の効果】
【０００９】
本発明は、スロットマシンのリールの図柄に数字や数の図柄用いることにより、従来には無い図柄の連続性により、ＢＢ等の優遇遊技権利５が得られると共に、優遇遊技予告権利６の図柄の配列が、表示装置３に、同時に複数得られるようになり、リール３ｂ・３ｃ・３ｄの停止毎に、リールの停止位置に注視するようになり、遊技を一層興味深いものにする。また、表示装置３以外に補助表示装置７を具備することにより、双方の図柄の表示に関連性を持たせ、図柄が一致することにより、優遇遊技権利等を付与することにより、新たな興味を生むこととなる。
【発明を実施するための最良の形態】
【００１０】
次に、本発明のスロットマシンについてサイコロの図柄を使って説明する。図１は、本発明のスロットマシンの正面図である。
【００１１】
本発明のスロットマシン１は、図1に示すように、本体のほぼ中央に表示装置３が具備され、それは３列の回転リール３a・３b・３cより構成されている。リール３ｂ・３ｃ・３ｄの表面には、複数の図柄が縦列に配置されている。さらに、表示装置３の上部には、補助表示装置７が、具備されており、これも複数の図柄が表示可能になっている。
【００１２】
スロットマシンの遊技方法は、先ず、メダル投入口８より所望のメダル通常は３枚を投入し、始動装置２を下げると、前記リール３ｂ・３ｃ・３ｄが回転する。続いて、各リール３ｂ・３ｃ・３ｄに対応した停止装置４ｂ・4ｃ・4ｄを操作すると、各々のリール３ｂ・３ｃ・３ｄが停止し、図柄が表示される。停止装置４ｂ・4ｃ・4ｄを操作せずに放置しておくと、所定の時間を経て、自動停止する。この際、表示される図柄は、抽選手段２ａによりあらかじめ設定された図柄である。
【００１３】
次に、表示装置３に表示されるＢＢ等の優遇遊技権利５が付与される図柄の配列について説明する。図２アは、表示装置３のリール３ｄが停止する直前の状態を表したものである。本発明の請求項1にある同一図柄以外の数字、もしくは数の図柄の配列によるＢＢやＲＢとなる優遇遊技権利５もしくは、ＢＢやＲＢの予告図柄となる優遇遊技予告権利６が付与される状態を、ラインｄで、ＢＢとなる優遇優遇権利５が付与される状態を、ラインｅに保有している。リール３ｃが停止し、エリアｅ３にサイコロの１の目が表示・停止すれば、優遇遊技設定手段５ａより優遇遊技権利５のＢＢが付与される。エリアｅ１にサイコロの３の目が表示・停止すれば、ＢＢやＲＢとなる優遇遊技権利５もしくはＢＢやＲＢの予告図柄となる優遇遊技予告権利６を前記優遇遊技設定手段５ａにより得ることができる。
【００１４】
図２イは、エリアｅ３にサイコロの1の目が停止し、ラインｅ上に、サイコロの1が３個並んだ状態を示し、図２ウは、エリアｅ１にサイコロの３の目が停止し、ラインｄ上に、同一図柄以外の連続する数の図柄が並び、ＢＢやＲＢとなる優遇遊技権利５もしくは、ＢＢやＲＢの予告図柄である優遇遊技予告権利６が付与された状態を表している。
【００１５】
次に、表示装置３と補助表示装置７に表示される図柄の配列とＢＢ等の優遇遊技権利５が、付与される関係を説明する。図３エは、リール３ｄが停止する直前の状態を表したものである。補助表示装置７には、サイコロの目の２・３・４という連続する数字が表示・停止されている。表示装置３のラインｇには、サイコロの２と３の数字が表示停止されている。ラインｇのエリアｇ１にサイコロの４の目が、表示・停止すれば、補助表示装置７のオに表示されたサイコロの図柄と同一になり、ＢＢやＲＢとなる優遇遊技権利５の付与、もしくは、請求項２に記載のＢＢやＲＢの予告図柄となる優遇遊技予告権利６の付与となる。
【００１６】
その状態を表したものが図３カである。本発明の請求項４及び請求項５にあるように、補助表示装置７を具備することにより、表示装置３との図柄の一致による、表示照合手段８ａにより、優遇遊技設定手段５ａより、所定の前記優遇遊技権利５が付与される。また、請求項1にある同一図柄以外の数字もしくは数の図柄により、ＢＢやＲＢとなる優遇遊技権利５もしくはＢＢやＲＢの予告図柄となる優遇遊技予告権利６が付与されるという発想と相俟って、遊技への興味が、継続かつ増幅される。
【００１７】
図４は、本発明の遊技機の制御に関わる構成図である。メイン基板９では、始動装置２表示装置３停止装置４ｂ・4ｃ・4ｄ等の各入出力装置９ａに対応した、優遇遊技抽選手段２ａ図柄表示手段３ａ図柄停止手段４ａ優遇遊技設定手段５ａ補助表示手段７ａ補助停止手段７ｂ表示照合手段１２ａ等が、各ＩＯポートに接続され、通信制御手段１０ａを介し制御されている。さらにサブ基板１１では、補助表示装置７照明装置14音響装置１５等の入出力装置１１ａに対応した、補助表示手段７ａ演出告知手段１３ａが、各ＩＯポートに接続され、メイン基板９の通信制御手段１０ａの信号に対応し、通信制御手段１０ｂを介して制御されている。
【００１８】
図５は、本発明のメイン基板の制御に関わるフローチャート図である。メイン基板では、メダル投入１００確認処理後、始動装置２の操作完了後、優遇遊技抽選手段２ａと優遇遊技設定手段５ａにより、優遇遊技権利５もしくは優遇遊技権利予告６の付与か否かの判断がなされる。この際、サブ基板１１に具備された補助表示手段７ａによる補助表示装置７にも前記優遇遊技抽選手段２ａによる抽選結果が送信され、表示照合手段１２ａにより照合確認される。優遇遊技権利５及び優遇遊技権利予告６等の付与がなされると、表示手段３ａ及び７ａに抽選結果が表示され、該権利の処理１０６が実行される。優遇遊技権利５等の付与がなされない場合は、表示手段３ａに抽選結果の表示後、所定の処理１０８が実行される。
【図面の簡単な説明】
【００１９】
【図１】本発明のスロットマシンの正面図。
【図２】（ア）（イ）(ウ)本発明の表示装置による優遇遊技権利の関連図。
【図３】（エ）（オ）本発明の補助装置と表示装置による優遇遊技関連図。
【図４】本発明の制御に関わる構成図
【図５】本発明の制御に関わるフローチャート
【符号の説明】
【００２０】
１：スロットマシンの正面図
２：始動装置
２ａ：優遇遊技抽選手段
３：表示装置
３ａ：表示手段
３ｂ：リール
３ｃ：リール
４ａ：停止手段
４ｂ：停止装置
４ｃ：停止装置
４ｄ：停止装置
５：優遇遊技権利
５ａ：優遇遊技設定手段
６：優遇遊技予告権利
７：補助表示装置
７ａ：補助表示手段
８：メダル投入口
９：メイン基板
９ａ：入出力装置
１０ａ：通信制御手段
１０ｂ：通信制御手段
１１：サブ基板
１１ａ：入出力装置
１２ａ：表示照合手段
１３ａ：演出告知手段
１４：照明装置
１５：音響装置
ｄ：リールのライン
ｅ：リールのライン
ｅ３：リールのエリア
ｇ：リールのライン
ｇ１：リールのエリア
100：メダル投入
106：処  理
【図１】
2008113926.tif 000003
【図２】
2008113926.tif 000004
【図３】
2008113926.tif 000005
【図４】
2008113926.tif 000006
【図５】
2008113926.tif 000007